(57)【要約】【課題】スイッチの数量を１つ少なくすることができるのでケースの外形寸法を小さくできるし、コストも低減することができ、また、感度電流の切替を行うと電源がオンするので電源の入れ忘れを防止することができる漏電チェッカを提供する。【解決手段】漏電チェッカ１は電路２に流れる漏洩電流を検出する零相変流器３と、零相変流器３の出力電流が規定値を超えた場合に漏電と判定する漏電判定回路５と、漏電判定回路５の出力信号によりオンするトランジスタ６と、トランジスタ６のオンにより通電して表示を行う漏電表示器７と、漏電判定回路５及び漏電表示器７を駆動するための直流電源８とを備え、１つの切替スイッチ１０で直流電源８のオン・オフと零相変流器３が検出する漏洩電流の感度の切替とを行い、オフ位置から順に切り替えると漏洩電流の感度が段階的に高くなるようにする。【選択図】図１
2006184242.tif 000002
【特許請求の範囲】
【請求項１】
電路に流れる漏洩電流を検出する零相変流器と、該零相変流器の出力電流が規定値を超えた場合に漏電と判定する漏電判定回路と、該漏電判定回路の出力信号により表示を行う表示手段とを備えた漏電チェッカにおいて、電源のオン・オフと前記零相変流器が検出する漏洩電流の感度の切替とを同時に行う切替スイッチを設けたことを特徴とする漏電チェッカ。
【請求項２】
前記切替スイッチはオフ位置から順に切り替えると前記零相変流器が検出する漏洩電流の感度が段階的に高くなるようにしたことを特徴とする漏電チェッカ。
【発明の詳細な説明】
【技術分野】
【０００１】
本発明は、電路の漏電の有無を調べるための漏電チェッカに関する。
【背景技術】
【０００２】
従来、電路の漏電の有無を調べるための漏電チェッカは例えば特許文献１に示すものがある。この漏電チェッカ（６）はクランプ式の零相変流器（２）に電路を挿通させて設置され、零相変流器（２）によって電路（１）の漏洩電流（ｉ）を検出し、漏電判定回路（８，９）により漏洩電流（ｉ）が規定値以上であると判定するとＬＥＤなどの表示手段（４ａ）によって表示を行うものである。漏電チェッカ（６）が使用される電路（１）は正常な状態でもいくらか漏洩電流（ｉ）が流れている場合もあり、このため、感度電流を調整できるものが良く、漏電チェッカ（６）は感度電流を切り替えるための感度切替スイッチ（３ａ）を備えている。また、漏電チェッカ（６）の電源をオン・オフするための電源スイッチは感度切替スイッチ（３ａ）とは別に設けられていた。
【０００３】
【特許文献１】実開平７−１６１７６号公報（第２図）
【発明の開示】
【発明が解決しようとする課題】
【０００４】
漏電チェッカは分電盤内等の狭い箇所に取り付けて使用されるため、小型の方が良く、また、漏電チェッカを使用して間欠漏電の経路を特定するためには漏電チェッカを複数個必要とするので１つあたりの値段が安い方が良いが、従来の漏電チェッカは感度切替スイッチと電源スイッチの２つのスイッチを備えているため、コストがかかるとともに製品の外形寸法が大きくなっていた。また、電源スイッチと感度切替スイッチの両方をセットしなければならないため、電源スイッチを入れ忘れる虞があった。
【課題を解決するための手段】
【０００５】
本発明は、請求項１に記載の発明によれば、電路に流れる漏洩電流を検出する零相変流器と、零相変流器の出力電流が規定値を超えた場合に漏電と判定する漏電判定回路と、漏電判定回路の出力信号により表示を行う表示手段とを備えた漏電チェッカにおいて、電源のオン・オフと零相変流器が検出する漏洩電流の感度の切替とを同時に行う切替スイッチを設けたことを特徴とする。
【０００６】
請求項２に記載の発明によれば、請求項１に記載の漏電チェッカにおいて、切替スイッチはオフ位置から順に切り替えると零相変流器が検出する漏洩電流の感度が段階的に高くなるようにしたことを特徴とする。
【発明の効果】
【０００７】
請求項１に記載の発明によれば、電路に流れる漏洩電流を検出する零相変流器と、零相変流器の出力電流が規定値を超えた場合に漏電と判定する漏電判定回路と、漏電判定回路の出力信号により表示を行う表示手段とを備えた漏電チェッカにおいて、電源のオン・オフと零相変流器が検出する漏洩電流の感度の切替とを同時に行う切替スイッチを設けたことにより、スイッチの数量を１つ少なくすることができるのでケースの外形寸法を小さくできるし、コストも低減することができ、また、感度電流の切替を行うと電源がオンするので電源の入れ忘れを防止することができるという効果がある。
【０００８】
請求項２に記載の発明によれば、切替スイッチはオフ位置から順に切り替えると零相変流器が検出する漏洩電流の感度が段階的に高くなるようにしたことにより、小さな漏電電流が流れている電路に使用した場合にスイッチをオンした途端に漏電表示動作をすることがなく、切替スイッチで感度を順に切り替えることにより漏電表示動作する感度から漏電電流のだいたいの数値がわかるという効果がある。
【発明を実施するための最良の形態】
【０００９】
漏電チェッカは電路に流れる漏洩電流を検出する零相変流器と、零相変流器の出力電流が規定値を超えた場合に漏電と判定する漏電判定回路と、漏電判定回路の出力信号によりオンするスイッチング素子と、スイッチング素子のオンにより通電して表示を行う表示手段と、漏電判定回路及び漏電表示器を駆動するための直流電源とを備え、１つの切替スイッチで直流電源のオン・オフと零相変流器が検出する漏洩電流の感度の切替とを行い、オフ位置から順に切り替えると漏洩電流の感度が段階的に高くなるようにする。
【実施例１】
【００１０】
本発明に係る漏電チェッカの実施例１を図１の添付図面に基づいて説明する。
【００１１】
漏電チェッカ１は、電路２に流れる漏洩電流を検出するクランプ式の零相変流器３と、零相変流器３の出力線４が接続されて出力電流が規定値を超えた場合に漏電と判定する漏電判定回路５と、漏電判定回路５の出力信号によりオンするスイッチング素子であるトランジスタ６と、トランジスタ６のオンにより通電して駆動する表示手段である漏電表示器７と、漏電判定回路５及び漏電表示器７が駆動するための直流電源８と、直流電源８を充電して漏電表示器７を駆動させるコンデンサ９と、直流電源８のオン・オフ及び漏洩電流の感度の切替を行うための切替スイッチ１０とで構成され、各部材はケース１１に収納されている。
【００１２】
切替スイッチ１０は、２回路４接点のロータリースイッチが用いられ、２回路のうち一方の回路を開閉する第１スイッチ１０ａは漏電判定回路５及び漏電表示器７の接続点Ａと直流電源８の正極との間に接続され、他方の回路を開閉する第２スイッチ１０ｂは零相変流器３の出力線４，４間に接続され、また、零相変流器３の出力線４，４間には抵抗Ｒ１が接続されている。
【００１３】
第１スイッチ１０ａ及び第２スイッチ１０ｂは夫々第１接点ａから第４接点ｄまであり、第１スイッチ１０ａ及び第２スイッチ１０ｂの第１接点ａは開路であり、ここに切替スイッチ１０を合わせると電源がオフになる。また、第１スイッチ１０ａの第２接点ｂから第４接点ｄは閉路し、第２スイッチ１０ｂの第２接点ｂには抵抗Ｒ２が接続され、第３接点ｃには抵抗Ｒ２より抵抗値が高い抵抗Ｒ３が接続され、第４接点ｄは開路になっている。これにより、第２スイッチ１０ｂが第２接点ｂに切り替えられた場合は抵抗Ｒ１と抵抗Ｒ２が零相変流器３の出力線４，４間に並列に接続された状態となり、感度電流が最も低い数値に設定される。また、第２スイッチ１０ｂが第３接点ｃに切り替えられた場合は、抵抗Ｒ１と抵抗Ｒ３が零相変流器の出力線４，４間に並列に接続された状態となり、感度電流は第２接点ｂより高い数値に設定される。また、第２スイッチ１０ｂが第４接点ｄに切り替えられた場合は、抵抗Ｒ１だけが零相変流器３の出力線４，４間に接続された状態となり、感度電流は最も高く設定される。
【００１４】
このように切替スイッチ１０をオフの位置から順に切り替えると次第に感度が高くなるように調整できるようになっている。尚、感度電流の数値は分電盤で一般的に使用されるブレーカ（図示せず）の定格不動作電流に対応させて第２接点ｂに切り替えられた場合に１００ｍＡ程度、第３接点ｃに切り替えられた場合に５０ｍＡ程度、第４接点ｄに切り替えられた場合に１５ｍＡ程度となるようにしている。
【００１５】
このように構成された漏電チェッカ１の使用方法について説明する。例えば、電路２に設けられた漏電ブレーカ（図示せず）の定格動作電流が例えば３０ｍＡの場合、定格不動作電流は１５ｍＡであり、電路２に２０ｍＡ程度の間欠漏電が発生しているとすると、漏電ブレーカはまれにこれを検知して遮断動作することがある。このような発見の難しい間欠漏電の有無を調べるのに漏電チェッカは好適であり、まず、電路２に零相変流器３を挿通させて設置し、切替スイッチ１０をオフ位置から１段階切り替えると漏電チェッカ１の電源がオンし、感度電流は１００ｍＡに設定される。漏電ブレーカの定格不動作電流は１５ｍＡなので切替スイッチ１０をもう２段階切り替えて１５ｍＡに設定し、漏電チェッカ１をしばらくそのまま放置する。そして、電路２に間欠漏電が発生すると、零相変流器３はこれを検出して漏電判定回路５に出力し、漏電判定回路５は零相変流器３の出力電流が設定値の１５ｍＡを越える２０ｍＡであるから漏電と判定してトランジスタ６に信号を出力し、トランジスタ６は漏電判定回路５の信号を受けるとオンする。すると、直流電源８からコンデンサ９に充電された電流が漏電表示器７に通電し、漏電表示器７を励磁駆動させて漏電の表示を行うようになっている。漏電の表示を解除するにはリセットスイッチ１２をオンすることにより行うことができる。
【００１６】
尚、本実施例において切替スイッチにロータリースイッチを使用しているが、スライドスイッチでも良く、また、接点数についても増減させても良く、感度電流値についても適宜に変更して実施することができる。
【図面の簡単な説明】
【００１７】
【図１】本発明に係る漏電チェッカの回路図である。
【符号の説明】
【００１８】
１    漏電チェッカ
３    零相変流器
５    漏電判定回路
８    直流電源
１０    切替スイッチ
１０ａ    第１スイッチ
１０ｂ    第２スイッチ
【図１】
2006184242.tif 000003